(57)【要約】【課題】使用者が複数の不必要なメッセージを一度に容易に消去できる無線通信装置を提供する。【解決手段】本発明の無線通信装置は、アンテナ部１と、無線部２と、波形整形部３と、デコーダ部４と、制御部５と、報知制御回路６と、ＥＥＰＲＯＭ部７と、メモリ部８と、表示制御回路９と、表示部１０と、操作部１１と、モータ部１２と、ＬＥＤ部１３と、鳴音部１４とを備える。受信したメッセージはメモリ部８に記憶され、表示部１０に時系列で表示される。表示されたメッセージのうち、使用者が指定したメッセージを纏めて消去する場合、選択消去機能が選択された後、表示されたメッセージのうち選択されたメッセージを消去メッセージとして確定してマークを付け、消去機能が選択されたとき、確定された消去メッセージを纏めて消去する。【選択図】図１
2006217585.tif 000002
【特許請求の範囲】
【請求項１】
受信したメッセージと着信時刻とを記憶するメモリ部と、
前記受信したメッセージを時系列で、読出済みか未読出しかを区別して表示する手段と、
前記表示されたメッセージのうち、使用者が指定したメッセージを纏めて消去する手段と、を備え、
前記メッセージを纏めて消去する手段は、操作部の操作により選択消去機能が処理の内容として選択された後、前記表示されたメッセージのうち操作部の操作により選択されたメッセージを消去メッセージとして確定し、続いて操作部の操作により消去機能が処理の内容として選択されたとき、前記確定された消去メッセージを纏めて消去することを特徴とする無線通信装置。
【請求項２】
受信したメッセージと着信時刻とを記憶するメモリ部と、
前記受信したメッセージを時系列で、読出済みか未読出しかを区別して表示する手段と、
前記表示されたメッセージのうち、使用者が指定した範囲のメッセージを消去する手段と、を備え、
前記メッセージを纏めて消去する手段は、操作部の操作により範囲消去機能が処理の内容として選択された後、前記表示されたメッセージのうち操作部の操作により選択されたメッセージを消去範囲のトップ及びラストとして確定し、続いて操作部の操作により消去機能が処理の内容として選択されたとき、前記確定されたトップ及びラストのメッセージの間のメッセージを全て消去することを特徴とする無線通信装置。
【発明の詳細な説明】
【技術分野】
【０００１】
本発明は、複数のメッセージを記憶する手段を備え、複数の文字情報を表示することができる機能を有するページャー、ＰＨＳ及び携帯電話等の無線通信装置に関する。
【背景技術】
【０００２】
従来の表示付きページャーは、使用者がメッセージを消去する方法として、個々のメッセージを個別選択して消去する方法と、既に読んだメッセージを全て消去する方法と、無条件に全てのメッセージを消去する方法を具有していた。
【０００３】
またページャーが自動的にメッセージを消去する方法として、メッセージの受信によりメッセージ記憶容量の限界に達した場合は、既に読んだメッセージ（以後、「読出済みメッセージ」と呼ぶ）の古いものから順に消去し、既に読んだメッセージが無い場合は、読み出しを行なっていないメッセージ（以後、「未読出メッセージ」と呼ぶ）の古いものから順に消去する方法を具有していた。
【発明の開示】
【発明が解決しようとする課題】
【０００４】
近年、メッセージによる情報配信サービスの普及に伴い、受信するメッセージの量、及びそれに伴ってメッセージの記憶容量も過去の数十倍に膨れ上がってきている。また情報メッセージは個人宛メッセージとは違い、全ての人が全てのメッセージを読む必要があるわけではない。
【０００５】
従来の表示付きページャーのメッセージ消去方法では、使用者が一度に複数のメッセージを消去する方法として、全メッセージを消去する方法しか持たないため、複数の不必要なメッセージを容易に消去する方法が無かった。
【０００６】
本発明は、使用者が複数の不必要なメッセージを一度に容易に消去できる無線通信装置を提供することを目的とするものである。
【課題を解決するための手段】
【０００７】
本発明の無線通信装置は、受信したメッセージと着信時刻とを記憶するメモリ部と、前記受信したメッセージを時系列で、読出済みか未読出しかを区別して表示する手段と、前記表示されたメッセージのうち、使用者が指定したメッセージを纏めて消去する手段と、を備え、前記メッセージを纏めて消去する手段は、操作部の操作により選択消去機能が処理の内容として選択された後、前記表示されたメッセージのうち操作部の操作により選択されたメッセージを消去メッセージとして確定し、続いて操作部の操作により消去機能が処理の内容として選択されたとき、前記確定された消去メッセージを纏めて消去するものである。
【０００８】
本発明によれば、使用者が飛び飛びに指定したメッセージを纏めて消去でき、使用者が複数の不必要なメッセージを一度に容易に消去することができる。
【０００９】
本発明の無線通信装置は、受信したメッセージと着信時刻とを記憶するメモリ部と、前記受信したメッセージを時系列で、読出済みか未読出しかを区別して表示する手段と、前記表示されたメッセージのうち、使用者が指定した範囲のメッセージを消去する手段と、を備え、前記メッセージを纏めて消去する手段は、操作部の操作により範囲消去機能が処理の内容として選択された後、前記表示されたメッセージのうち操作部の操作により選択されたメッセージを消去範囲のトップ及びラストとして確定し、続いて操作部の操作により消去機能が処理の内容として選択されたとき、前記確定されたトップ及びラストのメッセージの間のメッセージを全て消去するものである。
【００１０】
本発明によれば、使用者が指定した範囲の不必要なメッセージを一度に容易に消去できる。
【発明の効果】
【００１１】
本発明によれば、使用者が複数の不必要なメッセージを一度に容易に消去できる無線通信装置を提供することができる。
【発明を実施するための最良の形態】
【００１２】
以下、本発明の実施の形態について、図面を用いて説明する。
【００１３】
図１は、本発明の実施の形態のページャー機能を備える無線通信装置、例えば表示付きページャーの構成を示すブロック図である。図１において、ページャー機能を備える無線通信装置は、アンテナ部１と、無線部２と、波形整形部３と、デコーダ部４と、制御部５と、報知制御回路６と、ＥＥＰＲＯＭ部７と、メモリ部８と、表示制御回路９と、表示部１０と、操作部１１と、モータ部１２と、ＬＥＤ部１３と、鳴音部１４とから構成されている。
【００１４】
次に、ページャー機能を備える無線通信装置の一般的な動作について説明すると、アンテナ部１と無線部２を経て受信された高周波信号は波形整形部３でデジタル信号に復調され、デコーダ部４に入力される。デコーダ部４はデジタル信号をデコードし、制御部５はＥＥＰＲＯＭ部７に書き込まれている自己の選択呼出アドレスと比較して一致した場合、報知制御回路６を動作させ鳴音部１４もしくはモータ部１２とともにＬＥＤ部１３を駆動し自己アドレスの受信を報知する。
【００１５】
またデコーダ部４は、自己アドレスに続いてメッセージ信号が付加されていた場合、メッセージ信号を復号し、制御部５によりメモリ部８に着信時刻とともに記憶する。このとき制御部５はメッセージの中に送信者識別コード及び連続メッセージコードが存在するかを判定し、もし存在するようであればメッセージとともに送信者識別コード及び連続メッセージコードもメモリ部８に記憶する。操作部１１内の機能釦、例えばジョグダイヤル等を介して行なう使用者の操作により、制御部５はメモリ部８に記憶したメッセージデータを読み出し、表示制御部９により表示部１０にメッセージを表示する。
【００１６】
記憶されたメッセージは、操作部１１内の機能釦を押すことによりで再度メモリ部８より読み出すことが可能である。
【００１７】
次に、本発明の実施の形態に係るメッセージの消去方法について、図２から図５および表１を用いて説明する。
【００１８】
図２は、本発明の実施の形態に係るメッセージの消去方法の一例を説明するものであり、図２において、表示部（例えば、ＬＣＤからなる表示部）１０に、メニューが表示されており、使用者が操作部１１内の機能釦、例えばジョグダイヤルを操作して、機能を選択すると共に処理の内容を確定する。次に、使用者が操作部１１内の機能釦、例えばジョグダイヤルを操作して、消去範囲のトップを選択して、確定する。ついで、使用者が操作部１１内の機能釦、例えばジョグダイヤルを操作して、消去範囲のラストを探してスクロールを行ない、消去範囲のラストを選択して、確定する。ここで、必要により、使用者が操作部１１内の機能釦、例えばジョグダイヤルを操作して、消去範囲をスクロールにより確認することもできる。使用者が確認の後、使用者が操作部１１内の機能釦を押して消去を選択すれば、消去範囲のトップから消去範囲のラストの範囲において消去が実行される。
【００１９】
表１は時系列で受信された情報メッセージがメモリに格納され、読出済みか未読出しかが読出状態にて区別されて、表示される例を示すものである。
【００２０】
【表１】
2006217585.tif 000003
【００２１】
表１において、本発明の第１のメッセージの消去方法を説明すれば、例えば１月２０日以前のメッセージを未読出メッセージを含めて消去したい場合に、メッセージ番号１２０番（消去範囲のトップ）のメッセージを選択して消去を行なうと、メッセージ番号１番〜１２０番のメッセージを一度に消去することができる。従来方法では、未読出メッセージを除いた全てのメッセージを一括して消去する方法しかもたないため、特定部分を消去する方法をもたないものである。又、未読出メッセージを一括して消去することはできないものである。
【００２２】
表１において、本発明の第２のメッセージの消去方法を説明すれば、例えば１月２０日のメッセージを未読出メッセージを含めて消去したい場合に、メッセージ番号６１番（消去範囲のラスト）と１２０番（消去範囲のトップ）のメッセージを選択して消去を行なうと、メッセージ番号６１番〜１２０番のメッセージを一度に消去することができる。従来方法では、未読出メッセージを除いた全てのメッセージを一括して消去する方法しかもたないため、特定部分を消去する方法をもたないものである。又、未読出メッセージを一括して消去することはできないものである。
【００２３】
表１において、本発明の第３のメッセージの消去方法を説明すれば、例えば１月２０日以前のメッセージを未読出メッセージを除いて消去したい場合に、メッセージ番号１２０番（消去範囲のトップ）のメッセージを選択して消去を行なうと、メッセージ番号６０番、６１番の未読出メッセージを除いたメッセージ番号１番〜１２０番のメッセージを一度に消去することができる。従来方法では、未読出メッセージを一括して消去することはできないものである。
【００２４】
表１において、本発明の第４のメッセージの消去方法を説明すれば、例えば１月２０日のメッセージを未読出メッセージを除いて消去したい場合に、メッセージ番号６１番（消去範囲のラスト）と１２０番（消去範囲のトップ）のメッセージを選択して消去を行なうと、メッセージ番号６１番の未読出メッセージを除いたメッセージ番号６１番〜１２０番のメッセージを一度に消去することができる。従来方法では、未読出メッセージを一括して消去することはできないものである。
【００２５】
次に、図３を用いて本発明の第５のメッセージの消去方法を説明するものであり、図３において、表示部（例えば、ＬＣＤからなる表示部）１０に、メニューが表示されており、使用者が操作部１１内の機能釦、例えばジョグダイヤルを操作して、機能を選択すると共に処理の内容を確定する。次に、使用者が操作部１１内の機能釦、例えばジョグダイヤルを操作して、消去メッセージを選択して、確定する。更に、消去メッセージがあれば、使用者が操作部１１内の機能釦、例えばジョグダイヤルを操作して、消去メッセージを探してスクロールを行ない、消去メッセージを選択して、確定する。ここで、必要により、使用者が操作部１１内の機能釦、例えばジョグダイヤルを操作して、スクロールにより消去するメッセージを確認することもできる。使用者が確認の後、使用者が操作部１１内の機能釦を押して消去を選択すれば、使用者が飛び飛びに指定したメッセージを纏めて消去できる。
【００２６】
次に、図４を用いて本発明の第６のメッセージの消去方法を説明するものであり、図４において、表示部（例えば、ＬＣＤからなる表示部）１０に、メニューが表示されており、使用者が操作部１１内の機能釦、例えばジョグダイヤルを操作して、機能を選択すると共に処理の内容を確定する。次に、使用者が操作部１１内の機能釦、例えばジョグダイヤルを操作して、データを残す範囲のメッセージのトップを選択して、確定する。更に、スクロールを行なって、データを残す範囲のメッセージのラストを選択して、確定する。ここで、必要により、使用者が操作部１１内の機能釦、例えばジョグダイヤルを操作して、スクロールにより残すべきメッセージを確認することもできる。使用者が確認の後、使用者が操作部１１内の機能釦を押して消去を選択すれば、使用者が指定した残すべきメッセージのトップ位置とラスト位置に含まれる受信したメッセージを残して他のメッセージを全て一度に容易に消去できる。
【００２７】
次に、図５を用いて本発明の第７のメッセージの消去方法を説明するものであり、図５において、表示部（例えば、ＬＣＤからなる表示部）１０に、メニューが表示されており、使用者が操作部１１内の機能釦、例えばジョグダイヤルを操作して、機能を選択すると共に処理の内容を確定する。次に、使用者が操作部１１内の機能釦、例えばジョグダイヤルを操作して、データを残す必要があるメッセージを選択して、確定する。更に、スクロールを行なって、データを残す必要があるメッセージを選択して、確定する。ここで、必要により、使用者が操作部１１内の機能釦、例えばジョグダイヤルを操作して、スクロールにより残すべきメッセージを確認することもできる。使用者が確認の後、使用者が飛び飛びに指定した残すべきメッセージを残して他のメッセージを纏めて消去できる。
【００２８】
なお、図示はしていないが、表示を見て使用者が特定の文字列、マーク、記号等を使用者が操作部１１内の機能釦、例えばジョグダイヤルを操作し指定すると、使用者が指定した特定の文字列、マーク、記号等が付されたメッセージを全て消去することも可能であり、使用者が指定した特定の文字列、マーク、記号等が付されたメッセージを全て消去できる。
【００２９】
なお、図示はしていないが、表示を見て使用者が時間或いは日時情報を使用者が操作部１１内の機能釦、例えばジョグダイヤルを操作して入力指定すると、指定した時間或いは日時のメッセージ以前に受信したメッセージを全て消去することも可能であり、使用者が複数の不必要なメッセージを、使用者が時間或いは日時情報を入力指定するだけで容易に消去できる。
【００３０】
なお、本発明のページャー機能を備える無線通信装置は、表示付きページャー以外でも複数のメッセージを記憶する手段を備え、複数の文字情報を表示する機能を有するＰＨＳ及び携帯電話等についても適用できるものである。
【図面の簡単な説明】
【００３１】
【図１】本発明の実施の形態におけるページャー機能を備える無線通信装置の構成ブロック図
【図２】本発明の実施の形態における第１ないし第４のメッセージ消去方法の動作を説明するための図
【図３】本発明の実施の形態における第５のメッセージ消去方法の動作を説明するための図
【図４】本発明の実施の形態における第６のメッセージ消去方法の動作を説明するための図
【図５】本発明の実施の形態における第７のメッセージ消去方法の動作を説明するための図
【符号の説明】
【００３２】
１  アンテナ部
２  無線部
３  波形整形部
４  デコーダ部
５  制御部
６  報知制御回路
７  ＥＥＰＲＯＭ部
８  メモリ部
９  表示制御部
１０  表示部
１１  操作部
１２  モータ部
１３  ＬＥＤ部
１４  鳴音部
【図１】
2006217585.tif 000004
【図２】
2006217585.tif 000005
【図３】
2006217585.tif 000006
【図４】
2006217585.tif 000007
【図５】
2006217585.tif 000008